(57)【要約】【課題】  本発明はトータル的な吹出し風量を増大させることができるとともに、吹出し範囲を拡大して、冷却効果の向上を図ることができるファンモータを得るにある。【解決手段】  薄型四角形状のハウジングの上面から空気を吸い込み、側面から吹出させるファンモータにおいて、前記ハウジングの１個所の角部の両側面に吹出し口を形成してファンモータを構成している。【選択図】  図１
2008038805.tif 000002
【特許請求の範囲】
【請求項１】
薄型四角形状のハウジングの上面から空気を吸い込み、側面から吹出させるファンモータにおいて、前記ハウジングの１個所の角部の両側面に吹出し口を形成したことを特徴とするファンモータ。
【請求項２】
薄型四角形状のハウジングの上面から空気を吸い込み、側面から吹出させるファンモータにおいて、前記ハウジングの１個所の角部を円弧状に形成し、その両側面に吹出し口を形成したことを特徴とするファンモータ。
【請求項３】
薄型四角形状のハウジングの上面から空気を吸い込み、側面から吹出させるファンモータにおいて、前記ハウジングの１個所の角部の両側面に１個の開口部となるように吹出し口を形成したことを特徴とするファンモータ。
【請求項４】
吹出し口には吹出される空気を案内するガイドファンが設けられていることを特徴とする請求項１ないし３いずれかに記載のファンモータ。
【発明の詳細な説明】
【技術分野】
【０００１】
本発明は薄型四角形状で上面から空気を吸い込み、側面から吹出させる携帯電話機やパソコン等の電子機器の電子部品や装置等を冷却する場合に使用されるファンモータに関する。
【背景技術】
【０００２】
従来のこの種のファンモータは上面から空気を吸い込み、９０度屈曲させて一側面より吹出させる構造になっている。
【０００３】
このため、効率が悪く、同じサイズの軸流ファンに比べて３０〜４０％の吹出し風量しか得られないという欠点があった。
【特許文献１】特開平１１−１５３０９９
【特許文献２】特開平２−２１４４５６
【発明の開示】
【発明が解決しようとする課題】
【０００４】
本発明は以上のような従来の欠点に鑑み、トータル的な吹出し風量を増大させることができるとともに、吹出し範囲を拡大して、冷却効果の向上を図ることができるファンモータを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は薄型四角形状のハウジングの上面から空気を吸い込み、側面から吹出させるファンモータにおいて、前記ハウジングの１個所の角部の両側面に吹出し口を形成してファンモータを構成している。
【発明の効果】
【０００７】
以上の説明から明らかなように、本発明にあっては次に列挙する効果が得られる。
【０００８】
（１）薄型四角形状のハウジングの上面から空気を吸い込み、側面から吹出させるファンモータにおいて、前記ハウジングの１個所の角部の両側面に吹出し口を形成したので、ハウジングの１個所の角部の両側面に吹出し口より空気を空気を吹出させることができる。
したがって、吹出し口の静圧はダウンするが、トータル風量を増大させることができ、冷却効果を向上させることができる。
【０００９】
（２）前記（１）によって、吹出し口の幅寸法が拡大して、冷却範囲の拡大を図ることができる。
【００１０】
（３）前記（１）によって、空気の吸い込み面積と吹出し口の面積とをほぼ同じ面積に形成することができる。
したがって、効率のよい吹出し風量を得ることができる。
【００１１】
（４）前記（１）によって、構造が簡単であるので、容易に製造することができるとともに、機器のコーナー部に取付ける場合、吹出し口のない２側面をコーナー部に位置できるため、機器を効率よく冷却することができる。
【００１２】
（５）請求項２も前記（１）〜（４）と同様な効果が得られるとともに、吹出し口の中央部の外方への突出を小さくでき、小型コンパクト化を図ることができる。
【００１３】
（６）請求項３も前記（１）〜（４）と同様な効果が得られるとともに、吹出し口が広幅の１個となるため、吹出し口の全幅にわたって空気を吹出させることができる。
【００１４】
（７）請求項４も前記（１）〜（４）と同様な効果が得られるとともに、ガイドファンによって吹出し空気の方向を設定することができる。
【発明を実施するための最良の形態】
【００１５】
以下、図面に示す本発明を実施するための最良の形態により、本発明を詳細に説明する。
【００１６】
図１ないし図７に示す本発明を実施するための最良の第１の形態において、１は本発明のファンモータで、このファンモータ１は、例えば縦寸法が１５ｍｍ、横寸法が１５ｍｍ、厚さ寸法が４ｍｍの薄型四角形状で、上面に空気流入口２が形成され、１個所の角部の両側面に吹出し口３、３が形成されたハウジング４と、このハウジング４内に設けられた、前記空気流入口２より空気を吸い込み、前記吹出し口３、３より吹出させるモータ５で駆動されるファン６とで構成されている。
【００１７】
前記ハウジング４は上部が開口７し、両側面に吹出し口３、３が形成され、内部に前記モータ５およびファン６を収納する収納部８が形成されたハウジング本体９と、このハウジング本体９の上部を覆うように取付けられる空気流入口２が形成されたカバー板１０とで構成されている。
【００１８】
前記モータ５は前記ハウジング本体９の収納部８の底面に固定された中央部に軸受１１が形成され、その外周部にコイル１２、１２が設けられた基板１３と、この基板１３の軸受１１に回転可能に取付けられる中央部に軸１４が形成され、前記コイル１２、１２と対応する部位に永久磁石１５が固定された回転体１６とで構成されている。
【００１９】
前記ファン６は前記モータ５の回転体１６に取付けられた取付板１７と、この取付板１７より前記回転体１６の外方へ突出する複数枚のブレード１８とで構成されている。
【００２０】
上記構成のファンモータ１は、モータ５の駆動によってファン６が回転し、ハウジング４の上部の空気流入口２より空気を吸い込み、側面の吹出し口３、３より吹出させる。
このため、吹出し口３、３毎の静圧は６０〜７０％ダウンするが、トータル的な吹出し風量は３０〜４０％アップさせることができる。
また、空気流入口２の面積と吹出し口３、３の面積とをほぼ同じに設定することができ、このように設定することにより、最良の風量で吹出すことができる。
さらに、図７に示すように電子機器１９のコーナー部２０に吹出し口３、３が位置しないように設置することにより、全体に吹出し口３、３からの風を行き渡らせることができ、冷却効果の向上を図ることができる。
[発明を実施するための異なる形態]
【００２１】
次に、図８ないし図２4に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図８ないし図１０に示す本発明を実施するための第２の形態において、前記本発明を実施するための最良の第１の形態と主に異なる点は、吹出し口３、３に該吹出し口３、３より吹出される風の向きを調整する複数個のガイドフィン２１、２２を設けた点で、このような複数個のガイドフィン２１、２２を設けたファンモータ１Ａにしても、前記本発明を実施するための最良の第１の形態と同様な作用効果が得られるとともに、吹出し口３、３から吹出される風の方向をあらかじめ設定することができる。
【００２３】
図１１ないし図１３に示す本発明を実施するための第３の形態において、前記本発明を実施するための最良の第１の形態と主に異なる点は、吹出し口３、３に幅寸法の異なる複数個の仕切板２３、２３を設け、吹出し口３、３の仕事量が同じになるようにした点で、このように構成したファンモータ１Ｂにしても、前記本発明を実施するための最良の第１の形態と同様な作用効果が得られる。
【００２４】
図１４ないし図１６に示す本発明を実施するための第４の形態において、前記本発明を実施するための最良の第１の形態と主に異なる点は、両側面の吹出し口３、３が１個となるように中央部の支柱を除去した点で、このように構成したファンモータ１Ｃにしても、前記本発明を実施するための最良の第１の形態と同様な作用効果が得られるとともに、広い幅で空気を吹出させることができる。
【００２５】
図１７ないし図１９に示す本発明を実施するための第５の形態において、前記本発明を実施するための第４の形態と主に異なる点は、一側面側の吹出し口３部位に複数個のガイドフィン２１を設けた点で、このように構成したファンモータ１Ｄにしても、前記本発明を実施するための第４の形態と同様な作用効果が得られるとともに、吹出し口３より吹出される風向きを調整することができる。
【００２６】
図２０ないし図２２に示す本発明を実施するための第６の形態において、前記本発明を実施するための第４の形態と主に異なる点は、吹出し口３を形成した部位の角部を円弧状部２４に形成した点で、このように構成したファンモータ１Ｅにしても、前記本発明を実施するための第４の形態と同様な作用効果が得られるとともに、電子機器等のコーナー部に設置すれば設置面積をより小さく設定することができる。
【００２７】
図２３ないし図２４に示す本発明を実施するための第7の形態において、前記本発明を実施するための最良の第１の形態と主に異なる点は、電子機器１９の中央部に４個のファンモータ１、１、１、１を四方に送風できるように配置した点で、このように構成することにより、大型のファンモータを電子機器１９の中央部に１個設置したしたのと同等の設置面積、風量を維持した上でファンモータの厚みを図２４に１個設置した仮想線で示す位置より下方になるように押さえることができるため、実質的にファンモータの設置容積(体積)を削減することができる。
この場合の吹出し方向は実線や仮想線に示すように異なる２方向や斜め方向、その混在等適宜設定することができる。
【産業上の利用可能性】
【００２８】
本発明はファンモータを製造する産業で利用される。
【図面の簡単な説明】
【００２９】
【図１】本発明を実施するための最良の第１の形態の斜視図。
【図２】図１の２−２線に沿う拡大断面図。
【図３】本発明を実施するための最良の第１の形態のカバー板を外した状態の説明図。
【図４】本発明を実施するための最良の第１の形態のハウジングの説明図。
【図５】本発明を実施するための最良の第１の形態の回転体を外した状態の説明図。
【図６】本発明を実施するための最良の第１の形態のファンが取付けられた回転体の説明図。
【図７】本発明を実施するための最良の第１の形態の電子機器に取付けた状態の説明図。
【図８】本発明を実施するための第２の形態の斜視図。
【図９】図８の９−９線に沿う拡大断面図。
【図１０】本発明を実施するための第２の形態のカバー板を外した状態の説明図。
【図１１】本発明を実施するための第３の形態の斜視図。
【図１２】図１１の１２−１２線に沿う拡大断面図。
【図１３】本発明を実施するための第３の形態のカバー板を外した状態の説明図。
【図１４】本発明を実施するための第４の形態の斜視図。
【図１５】図１４の１５−１５線に沿う拡大断面図。
【図１６】本発明を実施するための第４の形態のカバー板を外した状態の説明図。
【図１７】本発明を実施するための第５の形態の斜視図。
【図１８】図１７の１８−１８線に沿う拡大断面図。
【図１９】本発明を実施するための第５の形態のカバー板を外した状態の説明図。
【図２０】本発明を実施するための第６の形態の斜視図。
【図２１】図２０の２１−２１線に沿う拡大断面図。
【図２２】本発明を実施するための第６の形態のカバー板を外した状態の説明図。
【図２３】本発明を実施するための第７の形態の電子機器に取付けた状態の説明図。
【図２４】図２３の２４−２４線に沿う断面図。
【符号の説明】
【００３０】
１、１Ａ、１Ｂ、１Ｃ、１Ｄ、１Ｅ：ファンモータ、
２：空気流入口、                            ３：吹出し口、
４：ハウジング、                            ５：モータ、            
６：ファン、                                                ７：開口、
８：収納部、                                                ９：ハウジング本体、
１０：カバー板、                            １１：軸受け、
１２：コイル、                                １３：基板、
１４：軸、                                        １５：永久磁石、
１６：回転体、                                １７：取付板、
１８：ブレード、                            １９：電子機器、
２０：コーナー部、                                    ２１、２２：ガイドフィン、
２３：仕切板、                                ２４：円弧状部。
【図１】
2008038805.tif 000003
【図２】
2008038805.tif 000004
【図３】
2008038805.tif 000005
【図４】
2008038805.tif 000006
【図５】
2008038805.tif 000007
【図６】
2008038805.tif 000008
【図７】
2008038805.tif 000009
【図８】
2008038805.tif 000010
【図９】
2008038805.tif 000011
【図１０】
2008038805.tif 000012
【図１１】
2008038805.tif 000013
【図１２】
2008038805.tif 000014
【図１３】
2008038805.tif 000015
【図１４】
2008038805.tif 000016
【図１５】
2008038805.tif 000017
【図１６】
2008038805.tif 000018
【図１７】
2008038805.tif 000019
【図１８】
2008038805.tif 000020
【図１９】
2008038805.tif 000021
【図２０】
2008038805.tif 000022
【図２１】
2008038805.tif 000023
【図２２】
2008038805.tif 000024
【図２３】
2008038805.tif 000025
【図２４】
2008038805.tif 000026